(57)【要約】【課題】例えば、戸建住宅のベランダ防水工事のＦＲＰライニング工法において、ガラスマットの先端部の積層後における段差の発生を防止するため、その先端部の厚さを簡易かつ低コストで減少させることが可能なガラスマット先端部厚さ減少装置を提供する。【解決手段】ガラスマット先端部厚さ減少装置１０を、板状の基台部１と、第１及び第２の板状部材２１、２２に長穴Ｈ１、Ｈ２が形成されたガラスマット先端部挿入空間Ｓを有する筐体状の本体部２と、ガラスマット先端部挿入空間Ｓに挿入されたガラスマットＧＭの先端部の厚さを減少させる、棒状体３１、棒状体３１の中心軸を中心として搖動可能であるとともに第１及び第２の長穴Ｈ１、Ｈ２を挿通可能で、ガラスマットＧＭの上面を突き破るように構成された針状体３２、バネ部材３３及びストッパー部３４を有する厚さ減少作業部３と、残渣回収部４と、を備えるように構成する。【選択図】図１
2016011518.tif 000002
【特許請求の範囲】
【請求項１】
互いに積層されるガラスマットの先端から一定幅に渡る先端部の厚さを、積層後の段差の発生を防止するため、減少させるために用いられるガラスマット先端部厚さ減少装置であって、
長方形の板状の基台部と、
前記基台部上に配設された、その前面側に、ガラスマット先端部挿入空間を有する筐体状の本体部と、
前記ガラスマット先端部挿入空間に挿入された前記ガラスマットの先端部の厚さを先端から一定幅に渡って減少させる厚さ減少作業部と、
前記本体部の前記ガラスマット先端部挿入空間と連通して、前記本体部の後面よりも後方側に配設された残渣回収部と、を備え、
前記本体部の前記ガラスマット先端部挿入空間は、前記基台部と平行にかつその間に所定の空間を有するように配設されるとともに前記本体部の左右方向に所定間隔で形成され前記本体部の前後方向に延伸する複数の第１の長穴を有する第１の板状部材と、前記第１の板状部材と平行に配設されるともに前記第１の長穴に対向して形成された複数の第２の長穴を有する第２の板状部材とから構成されてなり、かつ
前記厚さ減少作業部は、前記本体部の両側面間をその左右方向に橋渡しするとともにその中心軸を中心にして回転可能に形成された棒状体と、前記棒状体の長手方向の周面上に一定間隔で互いに平行に前記周面から突出するように固定され、前記棒状体の中心軸を中心に搖動可能に配設されるとともに、その先端側が前記第１の長穴及び第２の長穴を挿通可能に配設された複数本の針状体と、前記針状体の搖動を前方側に付勢するためのバネ部材と、前記針状体の前方側への過度な搖動を規制するストッパー部と、から構成されたことを特徴とするガラスマット先端部厚さ減少装置。
【請求項２】
前記本体部は、その上面側に、さらに把手を有する請求項１に記載のガラスマット先端部厚さ減少装置。
【請求項３】
前記基台部は、その下面側に、その長手方向に走行可能な回転ローラーを有する請求項１又は２に記載のガラスマット先端部厚さ減少装置。
【請求項４】
前記残渣回収部は、透明又は半透明の材料からなり、前記本体部に密封状態で取り付けられるとともに、前記本体部から取り外しが可能に配設される請求項１〜３のいずれかに記載のガラスマット先端部厚さ減少装置。
【発明の詳細な説明】
【技術分野】
【０００１】
本発明は、ガラスマット先端部厚さ減少装置に関する。さらに詳しくは、ＦＲＰ（ガラス繊維強化プラスチック：Ｆｉｂｅｒ  Ｒｅｉｎｆｏｒｃｅｄ  Ｐｌａｓｔｉｃｓ）をマット形状に成形した複数枚のガラスマットを、例えば、戸建住宅のベランダ防水工事のＦＲＰライニング工法において、その先端部を互いに積層させて使用する場合、積層後の段差の発生を防止するため、その先端部の厚さを簡易かつ低コストで減少させることが可能なガラスマット先端部厚さ減少装置に関する。
【背景技術】
【０００２】
住宅における防水工事、例えば、最近の戸建住宅のベランダ防水工事は、ベランダの直下に居間等が配置されることが多い部屋割り事情から水漏れの完全防止が絶対条件であり、これに対処するため、防水性能に優れたＦＲＰライニング工法が用いられている。このＦＲＰライニング工法は、通常、合板、コンクリート・パネル等を施工場所の形状に成形し、これらの内側にＦＲＰをライニング（貼り付け）することによって行われる。ＦＲＰライニング工法は、合板、コンクリート・パネルの成形時において多少の隙間があっても水漏れを防止することができる点で優れた工法である。
【０００３】
最近の戸建住宅は、その大きさ、形状が多種多様になっている一方、ガラスマットは、通常、１０４０ｍｍ又は１８６０ｍｍの幅でロール状に巻き取られた固定的な寸法を有するものであるため、例えば、ベランダ等に貼り付けるべき合板、コンクリート・パネル等の大きさ、形状によっては、工場又は現場において所望の大きさ、形状に裁断して、繋ぎ合わせる必要が生じる。
【０００４】
この場合、隙間による防水性能や機械的強度の低下を防止するため、ガラスマットの先端同士を当接させるのではなく、先端から一定幅に渡る先端部を互いに積層することが行われる。しかし、先端部をそのまま積層すれば、積層個所には、ガラスマットの厚さに対応した段差が生じてしまい、外観上好ましくないので、後工程である着色作業の前にグラインダー等で削り、平坦化する必要が生じるが、煩雑であるとともに、コストを上昇させるという問題があった。
【０００５】
このため、先端部の厚さを減少させた上で積層することが行われている。例えば、作業者が、自分の指で先端部を千切ったり、板に針を打ち付けた熊手状の治具を用いて、その厚さを減少させることが行われている。しかし、筋肉疲労等による肉体的作業負担、発生する屑（残渣）による目や皮膚への刺激等に基づく作業衛生及び単調な繰り返し作業による作業効率の面で必ずしも好ましいものではなかった。
【０００６】
そこで、「上下一対の回転軸にその一端が固定され、互いに逆方向に回転している鎖状体の間に、ガラスマットの先端部を挿入して、ガラスマットの先端部を鎖状体により上下から叩き解すことによって、ガラスマットの先端部の厚さを減少させるガラスマットの先端部処理方法」が提案されている（例えば、特許文献１参照）。
【０００７】
しかしながら、特許文献１に開示されたガラスマットの先端部処理方法の場合、厚さを減少することに対しては、相応の効果を発揮するものの、大掛かりな構成で、複雑な作業やコスト増を招来し、また戸建住宅のベランダ防水工事におけるような施工現場における多様性への速やかな対応性において、必ずしも十分に満足し得るものではなかった。
【先行技術文献】
【特許文献】
【０００８】
【特許文献１】特開平７−１０９６５１号公報
【発明の概要】
【発明が解決しようとする課題】
【０００９】
本発明は、上述の問題に鑑みてなされたものであり、例えば、戸建住宅のベランダ防水工事のＦＲＰライニング工法において、ガラスマットの先端部を互いに積層させて使用する場合、積層後の段差の発生を防止するため、その先端部の厚さを簡易かつ低コストで減少させることが可能なガラスマット先端部厚さ減少装置を提供することを目的とする。
【課題を解決するための手段】
【００１０】
上記目的を達成するため、本発明によれば、以下のガラスマット先端部厚さ減少装置が提供される。
【００１１】
［１］互いに積層されるガラスマットの先端から一定幅に渡る先端部の厚さを、積層後の段差の発生を防止するため、減少させるために用いられるガラスマット先端部厚さ減少装置であって、長方形の板状の基台部と、前記基台部上に配設された、その前面側に、ガラスマット先端部挿入空間を有する筐体状の本体部と、前記ガラスマット先端部挿入空間に挿入された前記ガラスマットの先端部の厚さを先端から一定幅に渡って減少させる厚さ減少作業部と、前記本体部の前記ガラスマット先端部挿入空間と連通して、前記本体部の後面よりも後方側に配設された残渣回収部と、を備え、前記本体部の前記ガラスマット先端部挿入空間は、前記基台部と平行にかつその間に所定の空間を有するように配設されるとともに前記本体部の左右方向に所定間隔で形成され前記本体部の前後方向に延伸する複数の第１の長穴を有する第１の板状部材と、前記第１の板状部材と平行に配設されるともに前記第１の長穴に対向して形成された複数の第２の長穴を有する第２の板状部材とから構成されてなり、かつ前記厚さ減少作業部は、前記本体部の両側面間をその左右方向に橋渡しするとともにその中心軸を中心にして回転可能に形成された棒状体と、前記棒状体の長手方向の周面上に一定間隔で互いに平行に前記周面から突出するように固定され、前記棒状体の中心軸を中心に搖動可能に配設されるとともに、その先端側が前記第１の長穴及び第２の長穴を挿通可能に配設された複数本の針状体と、前記針状体の搖動を前方側に付勢するためのバネ部材と、前記針状体の前方側への過度な搖動を規制するストッパー部と、から構成されたことを特徴とするガラスマット先端部厚さ減少装置。
【００１２】
［２］前記本体部は、その上面側に、さらに把手を有する前記［１］に記載のガラスマット先端部厚さ減少装置。
【００１３】
［３］前記基台部は、その下面側に、その長手方向に走行可能な回転ローラーを有する前記［１］又は［２］に記載のガラスマット先端部厚さ減少装置。
【００１４】
［４］前記残渣回収部は、透明又は半透明の材料からなり、前記本体部に密封状態で取り付けられるとともに、前記本体部から取り外しが可能に配設される前記［１］〜［３］のいずれかに記載のガラスマット先端部厚さ減少装置。
【発明の効果】
【００１５】
本発明によれば、例えば、戸建住宅のベランダ防水工事のＦＲＰライニング工法において、その先端部を互いに積層させて使用する場合、積層後の段差の発生を防止するため、その厚さを簡易かつ低コストで減少させることが可能なガラスマット先端部厚さ減少装置を提供することができる。
【図面の簡単な説明】
【００１６】
【図１】本発明の１の実施の形態に係るガラスマット先端部厚さ減少装置を模式的に示す斜視図である。
【図２】図１に示すガラスマット先端部厚さ減少装置の縦断面図である。
【発明を実施するための形態】
【００１７】
図１及び図２に示すように、本発明の１の実施の形態に係るガラスマット先端部厚さ減少装置１０は、互いに積層されるガラスマットＧＭの先端から一定幅に渡る先端部の厚さを、積層後の段差の発生を防止するため、減少させるために用いられるものである。具体的には、長方形の板状の基台部１と、基台部１上に配設された、その前面側に、ガラスマット先端部挿入空間Ｓを有する筐体状の本体部２と、ガラスマット先端部挿入空間Ｓに挿入されたガラスマットの先端部の厚さを先端から一定幅に渡って減少させる厚さ減少作業部３と、本体部２のガラスマット先端部挿入空間Ｓと連通して、基台部１の後面よりも後方側に配設された残渣回収部４と、を備え、本体部２のガラスマット先端部挿入空間Ｓは、基台部１と平行にかつその間に所定の空間を有するように配設されるとともに本体部２の左右方向に所定間隔で形成され本体部２の前後方向に延伸する複数の（図１等では３個の場合を示す）第１の長穴Ｈ１を有する第１の板状部材２１と、第１の板状部材２１と平行に配設されるともに第１の長穴Ｈ１に対向して形成された複数の第２の長穴Ｈ２（図１等では図示されず）を有する第２の板状部材２２とから構成されてなり、かつ厚さ減少作業部３は、本体部２の両側面間をその左右方向に橋渡しするとともにその中心軸を中心にして回転可能に形成された棒状体３１と、棒状体３１の長手方向の周面上に一定間隔で互いに平行に周面から突出するように固定され、棒状体３１の中心軸を中心に搖動可能に（その先端が棒状体３１の中心軸を中心にその長さを半径とする円運動をすることが可能なように）配設されるとともに、その先端側が第１の長穴Ｈ１及び第２の長穴Ｈ２を挿通可能に配設された複数本の（図１等では３本の場合を示す）針状体３２と、針状体３２の搖動を前方側に付勢するためのバネ部材３３と、針状体３２の前方側への過度な搖動を規制するストッパー部３４と、から構成されている。
【００１８】
本実施の形態における基台部１は、本体部２を、その上に安定的に載置するとともに、案内板としてガラスマットＧＭを容易かつ円滑に本体部２に挿入させるために用いられる。基台部１は、例えば、長方形の板状で、軽量性、柔軟性、機械的強度等の観点から、ＦＲＰ、硬質プラスチック、硬質ゴム等から形成されることが好ましい。
【００１９】
また、基台部１は、その下面側に、厚さ減少作業時に、前後方向へ素早い動きが可能となるように、その長手方向に走行可能な回転ローラー６を有することが、作業効率を向上させる観点から好ましい。
【００２０】
また、厚さ減少作業後、ガラスマットＧＭを引きすぎて、ガラスマットＧＭが基台部１の先端側から外れ落ちないように、余裕ある長さで低く出張った構成を有することが好ましい。
【００２１】
本実施の形態における本体部２は、基台部１上に配設され、厚さ減少作業部３を収納し、その機能を十全に発揮させるために用いられるとともに、その前面側に、ガラスマット先端部挿入空間Ｓを有するように構成される。また、機械的強度を保持し、厚さ減少作業部３を収納する等のため、例えば、筐体状で、軽量性及び機械的強度等の観点から、ステンレス、アルミニウム等から形成されることが好ましい。その厚さとしては、材質にもよるが、例えば、０．５〜３ｍｍとすることが好ましい。
【００２２】
また、本体部２は、その上面側に、さらに把手５を有することが作業効率を向上させる観点から好ましい。把手５としては、握り易い構造のものであれば特に制限はないが、例えば、軽量性等の観点からアルミニウム等から形成された丸棒状のものを好適例として挙げることができる。また、表面に滑り止めのため、スリット加工やナール加工を施したものであってもよく、軽量化のため、刳り抜いて中空としたものであってもよく、その表面をプラスチックやゴム等からなる滑り止めグリップで被覆したものであってもよい。その直径としては、例えば、２５〜３５ｍｍが好ましい。
【００２３】
本体部２のガラスマット先端部挿入空間Ｓは、基台部１と平行にかつその間に所定の空間を有するように配設されるとともに本体部２の左右方向に所定間隔で形成され本体部２の前後方向に延伸する複数の（図１等では３個の場合を示す）第１の長穴Ｈ１を有する第１の板状部材２１と、第１の板状部材２１と平行に配設されるともに第１の長穴Ｈ１に対向して形成された複数の第２の長穴Ｈ２（図１等では図示されず）を有する第２の板状部材２２とから構成されている。
【００２４】
第１の板状部材２１は、厚さ減少作業時、本体部２を後方に引いた時、ガラスマットＧＭが上方にずれて後述する厚さ減少操作部３の針状体３２に絡み付くのを防止するために用いられる。例えば、適度な弾力性及び機械的強度を有するように、ステンレス等から形成されることが好ましい。第１の板状部材２１には、針状体３２の搖動を妨げることがないように、本体部２の左右方向に所定間隔で形成され本体部２の前後方向に延伸する複数の（図１等では３本の場合を示すが、２、４又は５本であってもよく、適宜増減することができる）第１の長穴Ｈ１（その幅としては、後述する針状体の直径にもよるが、例えば、１．５〜４ｍｍが好ましい）を有している。なお、第１の板状部材２１は、ガラスマットＧＭの種類によって、第１の長穴Ｈ１の形成個数の異なるタイプのものに容易に交換することができるように取り付けられていることが好ましい。
【００２５】
第２の板状部材２２は、上述の第１の板状部材２１とともに、ガラスマット先端部挿入空間Ｓを形成するために用いられる。第２の板状部材２２には、針状体３２が完全にガラスマットＧＭ中に挿通して搖動可能なように、第１の長穴Ｈ１に対向して形成された複数の第２の長穴Ｈ２を有している。その材質及び本数等は、第１の板状部材２１の場合と同様である。
【００２６】
第１の板状部材２１及び第２の板状部材２２の長穴Ｈ１、Ｈ２は、上述のように、針状体３２の搖動を妨げることがないように、針状体３２の直径より大きめの余裕のある幅を有することが好ましい。
【００２７】
本実施の形態における厚さ減少作業部３は、ガラスマット先端部挿入空間Ｓに挿入されたガラスマットＧＭの先端部の厚さを先端から一定幅に渡って減少させるために用いられる。
【００２８】
具体的には、厚さ減少作業部３は、本体部２の両側面間をその左右方向に橋渡しするとともにその中心軸を中心にして回転可能に形成された棒状体３１と、棒状体３１の長手方向の周面上に一定間隔で互いに平行に周面から突出するように固定され、棒状体３１の中心軸を中心に搖動可能に配設されるとともに、その先端側が第１の長穴Ｈ１及び第２の長穴Ｈ２を挿通可能に配設された複数本の（図１等では３個）針状体３２と、針状体３２の搖動を前方側に付勢するためのバネ部材３３と、針状体３２の前方側への過度な搖動を規制するストッパー部３４と、から構成されている。
【００２９】
棒状体３１は、針状体３２を支持、固定するとともに、その中止軸を中心とした搖動を可能とするように構成されている。棒状体３１としては、例えば、軽量性及び加工容易性等の観点から、アルミニウム、真鍮等から形成された棒状（例えば、６角棒状）のものを好適例として挙げることができる。断面は６角形に限定されず、円形、楕円形、三角形、四角形、多角形等であってもよい。その直径は、例えば、８〜１５ｍｍであることが好ましい。
【００３０】
なお、本体部２の側面（側壁）における棒状体３１の前後方向への設置位置は、ガラスマットＧＭの種類等に応じて、後述する針状体３２によるガラスマットＧＭの毟り位置、程度等を変化させるため、本体部２の前後方向にそれぞれ若干ずらした複数の位置に設置可能なように構成する（例えば、取り付け孔を複数（例えば、片面にそれぞれ３個）形成しておくことが、円滑な厚さ減少作業を実現する上で好ましい。
【００３１】
針状体３２は、ガラスマットＧＭの先端部のガラスマット先端部挿入空間Ｓへの挿入後の、本体部２の素早い後退運動に伴う棒状体３１の回転に応じて、ガラスマットＧＭの先端部に突き刺さり、厚さ減少作業を実現するために用いられる。
【００３２】
針状体３２としては、耐摩耗性、靱性、機械的強度等の観点から、例えば、ピアノ線等から形成された丸棒状のものを好適例として挙げることができる。太さは、ガラスマットＧＭの種類にもよるが、確実な厚さ減少作業を実現する上で、例えば、１．５〜４ｍｍとすることが好ましい。上述のように、針状体３２の直径は、第１の板状部材２１及び第２の板状部材２２の長穴Ｈ１及びＨ２の幅よりも、相対的に小さめに設定されることが、円滑な作業を実現する上で好ましい。その本数は、第１の板状部材２１及び第２の板状部材２２の長穴Ｈ１及びＨ２の長穴Ｈ１及びＨ２の数に合わせることが好ましい。
【００３３】
針状体３２は、ガラスマットＧＭの先端部がガラスマット先端部挿入空間Ｓに挿入されると、ガラスマットＧＭの先端の挿入力に押されて後方向に搖動し、約４５度の角度でガラスマットＧＭの上面に当接し、かつ後述するバネ部材３３によって、弱いトルクでガラスマットＧＭの上面に前方向に押し付けられ前方側に付勢される。
【００３４】
本体部２が後方向に引っ張られて後退させられると、針状体３２は、ガラスマットＧＭにその上面側から突き刺さり、後述するストッパー部３４によって、その搖動が止められるまで、確実にガラスマットＧＭを突き破り、ガラスマットＧＭの先端部の一部を取り除き（毟り取り）、その厚さを減少させることができる。この動作を繰り返すことによって、円滑かつ確実な厚さ減少作業を実現することができる。
【００３５】
バネ部材３３は、上述のように、ガラスマットＧＭの先端部がガラスマット先端部挿入空間Ｓに挿入され、針状体３２がガラスマットＧＭの先端の挿入力に押されて後方向に搖動する際、弱いトルクでガラスマットＧＭの上面に針状体３２を前方向に押し付け、前方側に付勢することによって、針状体３２の安定した搖動及びガラスマットＧＭの上面への確実な突き破りを実現するために用いられる。
【００３６】
バネ部材３３としては、針状体３２の安定した搖動及びガラスマットＧＭの上面への確実な突き破りを実現するため、ガラスマットＧＭの先端部がガラスマット先端部挿入空間Ｓに挿入されるのを妨げる程強くはないものである一方、ガラスマットＧＭの先端部がガラスマット先端部挿入空間Ｓの最後部（奥の部分）まで挿入され、反対側（前方側）に動こうとした瞬間に針状体３２が確実にガラスマットＧＭの上面に突き刺さるようなトルクで針状体３２を前方側に付勢することができる強さのものであることが好ましい。
【００３７】
バネ部材３３としては、例えば、棒状体３１をその内部空間に貫通させた状態で、その両端をそれぞれ棒状体３１の表面及び本体部２の内側面（内側壁）に固定することによって取り付けた、構成線材の断面直径が０．５〜１．５ｍｍのコイルバネ、ツルマキバネ等を好適例として挙げることができる。
【００３８】
ストッパー部３４は、針状体３２の前方側への過度な搖動を規制するために用いられる。ストッパー部３４としては、確実に針状体３２の搖動を止めることができるものであれば特に制限はないが、例えば、ステンレス等から形成された、長方形で、厚さが０．５〜２ｍｍの板状のものを好適例として挙げることができる。
【００３９】
残渣回収部４は、本体部２のガラスマット先端部挿入空間Ｓと連通して、本体部２の後面よりも後方側に配設され、針状体３２の搖動によって取り除かれた（毟り取られた）ガラスマットＧＭの一部（屑（残渣）Ｒ）を回収するために用いられる。残渣回収部４は、屑（残渣）Ｒの溜まり具合を目視することができるように、例えば、ポリエチレン、ポリプロピレン、ポリエチレンテレフタレート（ＰＥＴ）、等から形成された透明又は半透明な軽量の材料からなることが好ましい。
【００４０】
また、残渣回収部４は、本体部２に密封状態で取り付けられるとともに、本体部２から取り外しが可能に配設されることが、円滑かつ確実な回収作業を実現して作業効率を向上させる観点から好ましい。
【００４１】
残渣回収部４を本体部２に取り外し可能に取り付ける（固定する）方法としては、簡易かつ確実な取り付けを実現することができるものであれば特に制限はないが、例えば、必要に応じてパッキンやＯ−リングを介在させた螺合、嵌合、バヨネットマウント、ビス止め等を用いてもよく、バネ、ゴム等の弾性体による付勢手段を介在させた固定であってもよい。
【００４２】
本実施の形態のガラスマット先端部厚さ減少装置１０の使用方法の一例を以下に説明する。
【００４３】
（１）片方の手で把手５を持ち、もう一方の手でガラスマットＧＭがずれないように押さえ、基台部１の先端部をガラスマットＧＭの下側に潜り込ませる（ガラスマットＧＭの先端部をガラスマット先端部挿入空間Ｓ中に挿入する）。
【００４４】
（２）ガラスマットＧＭの先端部がガラスマット先端部挿入空間Ｓの最後部（奥の部分）まで挿入されるように、回転ローラー６を介して本体部２を前方に進ませる。
【００４５】
（３）引きすぎないように注意しながら、素早く本体部２を後方側に引く（後退させる）とともに、ほぼ同時に左右のいずれかの方向に本体部２を移動させる。
【００４６】
（４）上述の（１）〜（３）のサイクルを必要な回数（ガラスマットＧＭの種類にもよるが、例えば、ガラスマットＧＭを左右方向に若干ずらした位置で、１〜５回が好ましい）繰り返すことによって、ガラスマットＧＭの先端部の厚さを、簡易、円滑かつ確実に減少させることができる。具体的には、本実施の形態のガラスマット先端部厚さ減少装置１０が、１回に処理できるガラスマットＧＭの幅を１０ｃｍ程度に設定されている場合、１ｍ幅のガラスマットＧＭを処理するためには、１０〜５０回上述の（１）〜（３）のサイクルを繰り返すことが好ましい。
【００４７】
（５）なお、初めの（１）〜（３）のサイクルの完了後、ガラスマットＧＭから針状体３２によって取り除かれた（毟り取られた）屑（残渣）Ｒがガラスマット先端部挿入空間Ｓ内（第２の板状部材２２の表面）に残るが、次の（１）〜（３）のサイクルのうちの（１）で、ガラスマット先端部挿入空間Ｓ中に挿入されたガラスマットＧＭの先端部によって、屑（残渣）Ｒは残渣回収部４の方へ移動させられ、回収される。
【００４８】
防水工事、例えば、戸建住宅のベランダ防水工事のＦＲＰライニング工法において、ガラスマットＧＭを積層させる場合は、上述の作業によって厚さの減少した先端から所定の幅の先端部同士を重ね合わせることによって、ガラスマットＧＭの継ぎ目（積層部）における段差の発生を有効に防止することができる。
【符号の説明】
【００４９】
１      基台部
２      本体部
３      厚さ減少作業部
４      残渣回収部
５      把手
６      回転ローラー
１０    ガラスマット先端部厚さ減少装置
２１    第１の板状部材
２２    第２の板状部材
３１    棒状体
３２    針状体
３３    バネ部材
３４    ストッパー部
ＧＭ    ガラスマット
Ｈ１    第１の長穴
Ｈ２    第２の長穴（図示せず）
Ｒ      屑（残渣）
Ｓ      ガラスマット先端部挿入空間
【図１】
2016011518.tif 000003
【図２】
2016011518.tif 000004